(57)【要約】    【課題】  積雪期間の積雪の移動量を精度良く測定可能であって、電気機器が不要で簡単な構成の積雪移動量測定装置を提供することである。    【解決手段】  地面に対し積雪の移動量を測定する積雪移動量測定装置１０であって、積雪の移動による圧力を受ける受圧部１２ａが設けられた突起形状部１２ｂと、前記突起形状部１２ｂを支持する支持部１２ｃと、前記支持部１２ｃに取り付けられ磁石が設けられた磁石部１３とを備える駒部材１１、前記駒部材１１が受圧部１２ａと直交する方向に移動可能に前記駒部材１１の支持部１２ｃと係合するレール形状部１５と、前記レール形状部が前記駒部材１１の磁石と対向する面のうち少なくとも表面に設けられ前記駒部材の磁石に反応する金属部１６とを備える誘導部材１４、及び、前記誘導部材１４を地面に対し固定する固定部材１７を有する。【選択図】      図１
2005315637.tif 000002
【特許請求の範囲】
【請求項１】
基準面に対し積雪の移動量を測定する積雪移動量測定装置であって、積雪の移動とともに移動する駒部材、前記駒部材を誘導する誘導部材、及び、前記誘導部材を基準面に対して固定する固定部材を有し、前記駒部材は、積雪の移動とともに移動可能な程度に、前記誘導部材に対して磁石の作用により引きつけられることを特徴とする積雪移動量測定装置。
【請求項２】
基準面に対し積雪の移動量を測定する積雪移動量測定装置であって、積雪の移動による圧力を受ける受圧部が設けられた突起形状部と、前記突起形状部を支持する支持部と、前記支持部に取り付けられ磁石が設けられた磁石部とを備える駒部材、前記駒部材が受圧部と直交する方向に移動可能に前記駒部材の支持部と係合するレール形状部と、前記レール形状部が前記駒部材の磁石と対向する面のうち少なくとも表面に設けられ前記駒部材の磁石に反応する金属部とを備える誘導部材、及び、前記誘導部材を基準面に対し固定する固定部材を有することを特徴とする積雪移動量測定装置。
【請求項３】
前記駒部材の支持部と前記誘導部材のレール形状部との係合部分は、断面コ字形状、断面Ｕ字形状、断面円弧形状、断面Ｉ字形状のうちいずれかであることを特徴とする請求項２に記載の積雪移動量測定装置。
【請求項４】
基準面に対し積雪の移動量を測定する積雪移動量測定装置であって、積雪の移動による圧力を受ける受圧部と、磁石が設けられた磁石部とを備える駒部材、前記駒部材の磁石に反応する金属が少なくとも表面に設けられ、前記駒部材より幅が広い長手形状の金属部と、前記金属部の長手方向にそって前記金属部の端面側に設けられた側面部とを備える誘導部材、及び、前記誘導部材を基準面に対して固定する固定部材を有することを特徴とする積雪移動量測定装置。
【請求項５】
前記固定部材は前記誘導部材の長手方向一方端側を基準面に対して固定し、前記誘導部は前記固定部材によって固定された状態で長手方向一方端側を支点として揺動可能であることを特徴とする請求項４に記載の積雪移動量測定装置。
【請求項６】
基準面に対し積雪の移動量を測定する積雪移動量測定方法であって、基準面に対して固定された誘導部材上に、該誘導部材に対して磁石の作用により引きつけられる駒部材を設置し、測定期間の経過後、前記誘導部材に対する前記駒部材の移動量を計測し、前記駒部材の移動量から積雪の移動量を求めることを特徴とする積雪移動量測定方法。
【発明の詳細な説明】
【技術分野】
【０００１】
本発明は、積雪の移動量を測定する積雪移動量測定装置及びその方法に関する。
【背景技術】
【０００２】
従来、降雪地域での積雪の移動量（グライド量）は、例えば、道路や鉄道、重要構造物などの施設に対して被害が及ばないように植林された防雪林の効果を検定するため、また、林業において積雪の移動に伴って植栽木が引き抜かれたり折れたりして消失していく過程を予測するために測定される。
【０００３】
また、なだれ対策として、融雪期間に発生する全層なだれや底雪崩を予測する際に積雪層の安定を検定するために、積雪の移動量が測定される。この測定結果は、杭などのなだれ防止施設を設置する際、その必要性の検定に役立つ。また、この測定結果は、積雪の不安定な箇所の広がり程度やなだれの発生範囲を推定し、施設の建設場所や強度などの基準作りに役立つ。
【０００４】
また、積雪の移動によって植生や表土が削剥除去されることがあり、これに対する対策資料の作成のため、積雪の移動量が測定される。
【０００５】
また、試験研究、例えば雪氷学関係で積雪の挙動を調査するために、積雪の移動量が測定される。
【０００６】
積雪の移動量は、積雪面の傾斜や、地表の状態、木の生え方など、さまざまな要素によって変化する。そのため、積雪の移動量は、積雪の移動を実際に測定して求められる。
【０００７】
特許文献１には、重錘を直接に斜面表土に置き、この重錘にワイヤが取り付けられ、このワイヤの他端側が巻かれたドラムの回転によって重錘の移動量を検出し、積雪の移動量をリアルタイムに検出する装置について開示されている。
【特許文献１】特開平０５−１８０９５６号公報
【発明の開示】
【発明が解決しようとする課題】
【０００８】
従来の積雪移動量測定装置では、なだれ発生時など急激な積雪の移動量をリアルタイムに測定するために雪中に電気機器が設置される。そのため、積雪層の圧迫や融雪時の露などの影響を受けて、漏電や接触不良などの故障が発生する可能性がある。また、これらの対策には、防水性や安定性の向上など複雑な構成を要し、また、電気的な故障に対しては煩雑なメンテナンスが必要となる。
【０００９】
上記した特許文献１に開示された装置は、ドラムの回転を移動量に変換するポテンショメータやデータ処理装置など電源が必要で複雑な構成を要し、また、装置の防水性や安定性の対策をするために電気機器部分を重機などを用いて地中に埋める必要がある。
【００１０】
そこで、本発明の目的としては、積雪期間の積雪の移動量を精度良く測定可能であって、電気機器が不要で簡単な構成の積雪移動量測定装置及びその方法を提供することである。
【課題を解決するための手段】
【００１１】
本発明に係る積雪移動量測定装置の特徴的な構成は、基準面に対し積雪の移動量を測定する積雪移動量測定装置であって、積雪の移動とともに移動する駒部材、前記駒部材を誘導する誘導部材、及び、前記誘導部材を基準面に対して固定する固定部材を有し、前記駒部材は、積雪の移動とともに移動可能な程度に、前記誘導部材に対して磁石の作用により引きつけられる。
【発明の効果】
【００１２】
本発明によれば、積雪期間の積雪の移動量を、簡単な構成で精度良く測定することができる。また、複雑かつ高価で煩雑なメンテナンスが必要な電気機器を用いなくとも、精度良く測定することができる。また、降雪前や融雪後など積雪がないときに、駒部材は、磁石の作用によって誘導部材に対して停止するため、雨や風などの外力を受けにくく、より精度良く測定することができる。また、駒部材は誘導部材上を移動するため、地表の形状などの影響を受けにくく、より精度良く測定することができる。
【００１３】
また、このような発明によれば、電源のない奥山にも装置を設置可能であって、設置のための手間も少なく、設置箇所に装置を運ぶにしても、装置が簡単な構成であるため、装置自体を軽量に仕上げることもできる。また、積雪がないときには、雨風などの影響を受けにくいため、積雪期間の前後に時間の余裕をもって装置を設置可能である。
【発明を実施するための最良の形態】
【００１４】
以下、本発明に係る実施の形態について図面を参照して説明する。なお、本実施の形態における例示が本発明を限定することはない。
（第１の実施の形態）
以下、本発明に係る第１の実施の形態について図１、図５を参照して説明する。
【００１５】
図１は、本発明に係る積雪移動量測定装置の一形態を示す模式図（ａ）、及びこの積雪移動量測定装置の駒部材の詳細図（ｂ）である。
【００１６】
図１において、積雪移動量測定装置１０は、積雪の移動とともに移動可能である駒部材１１と、この駒部材１１を誘導する誘導部材１４と、この誘導部材１４を基準面としての地面に固定する固定部材としての固定杭１７とを含む。
【００１７】
駒部材１１は、本体部１２と、この本体部１２の一方面に取り付けられた磁石部１３とを含む。本体部１２は、積雪の移動にともなう積雪の圧力を受けるための受圧部１２ａが設けられた突起形状部１２ｂと、この突起形状部１２ｂを支持し前記磁石部１３が底面側に取り付けられた支持部１２ｃとを含む。また、この突起形状部１２ｂには、支持部１２ｃと接続する部分にくびれ形状の首部１２ｂ１が形成される。
【００１８】
磁石部１３には、弾性変形可能な薄板形状の磁石、例えばゴム磁石など取付部の形状に応じて加工しやすいものが用いられる。本体部１２と磁石部１３とは、剥がれたり、ずれたりしないように接着もしくは固定される。本体部１２の受圧部１２ａは、積雪が移動するときに、積雪の下層に食い込んで、積雪の移動とともに駒部材１１全体を移動させるように、ある程度の高さ及び面積を有する。本体部１２の底面は、積雪の移動にともなって受圧面１２ａが圧力を受けても、転倒しない程度の面積を有する。このような構成とすることで、駒部材１１が壊れにくくなり、かつ駒部材１１をスムーズに移動させることができる。
【００１９】
また、誘導部材１４は、前記駒部材１１が受圧部１２ａと直交する方向に移動可能に前記駒部材１１の支持部１２ｃと係合するレール形状部１５を含む。このレール形状部１５の上面には、前記駒部材１１の支持部１２ｂが係合したときに、前記駒部材１１の首部１２ｂ１と係合する切り欠き形状部１５ｂが形成されている。そして、このレール形状部１５の底面部１５ａには、少なくともその表面に上面金属部１６が形成される。なお、レール形状部１５全体、又はレール形状部１５の底面部全体を金属製とすることもできる。
【００２０】
積雪の移動量を測定するときには、誘導部材１４のレール形状部１５に駒部材１１の支持部１２ｃを係合させることで、駒部材１１の突起形状部１２ｂをレール形状部１５の外側に出した状態で、誘導部材１４の上面金属部１６と駒部材１１の磁石部１３とが対向するようになる。
【００２１】
上面金属部１６は、駒部材１１の磁石部１３と反応する金属、例えば、磁石に反応する鉄板などの金属からなる。この磁石の力は、降雪前や融雪後など積雪がない状態では、雨や風などの外力を受けたとしても駒部材１１が上面金属部１６に対して引きつけられ停止し、かつ、積雪がある状態では、積雪の移動とともに駒部材１１がスムーズに移動する程度である。また、上面金属部１６は、積雪の移動にともなって駒部材１１が移動するときに、駒部材１１が上面金属部１６に対してスムーズに移動するように、表面が滑らかである。
【００２２】
また、固定杭１７は、誘導部材１４の長手方向両端部側の２箇所で誘導部材１４の底面部を固定する固定台１８を地面に対して杭打ちするものである。そして、誘導部材１４自体は、この固定台１８を介して固定杭１７によって地面に対して固定され、積雪の移動とともに移動されないようになる。
【００２３】
なお、上記した駒部材１１と誘導部材１４との係合部分は平面でなくても、例えば円柱側面どうしとするなどでもよい。この場合でも、駒部材１１が誘導部材１４に対して浮かないようにする。
【００２４】
上記した積雪移動量測定装置を用いて積雪の移動量を測定する方法について説明する。
【００２５】
図５は、積雪の移動量を測定する方法を説明するための模式図である。
【００２６】
図５（ａ）は積雪前の状態である。
【００２７】
積雪前に山の斜面に沿って積雪移動量測定装置１０を設置する。
【００２８】
積雪移動量測定装置１０の誘導部材１４は、長手方向を山の斜面に沿って設置し、固定杭１７によって地面に対して固定される。
【００２９】
駒部材１１は、このように設置された誘導部材１４に、山の斜面に対して高いほうの長手方向端部から、受圧面１２ａを山の斜面に対して高いほうにして挿入される。駒部材１１は、誘導部材１４のレール形状部１５によって誘導部材１４の長手方向に直交する方向への移動が制限され、また、磁石部１３の磁石の作用によって誘導部材１４の長手方向への移動が制限された状態となる。
【００３０】
そのため、装置の設置後であって積雪前に雨や風などによる外力を受けても、駒部材１１は、誘導部材１４のレール形状部１５による支持機構、及び駒部材１１の磁石部１３による磁石の作用によって移動が制限される。
【００３１】
図５（ｂ）は積雪時の状態である。
【００３２】
積雪時には、積雪移動量測定装置１０は、雪中に埋まって、積雪層と地面との境界に位置するようになる。この積雪層は山の斜面にそって高いほうから低いほうへと図中矢印Ａ方向に示すように移動することがある。
【００３３】
誘導部材１４は、固定杭１７で地面に固定されているため、積雪前に設置した位置から移動しない構成である。
【００３４】
駒部材１１は、積雪の移動による圧力を受圧部１２ａでうけると、積雪の移動とともに駒部材１１全体が誘導部材１４に対して移動する。駒部材１１は、積雪の移動にともなって移動可能に、誘導部材１４の上面金属部１６に対して磁石の力によって引きつけられている程度だからである。
【００３５】
図５（ｃ）は消雪後の状態である。
【００３６】
積雪が消雪した後には、積雪移動量測定装置１０の誘導部材１４は、固定杭１７で地面に固定されているため、積雪の移動とともに移動されずに、積雪前と同じ位置のままになる構成である。
【００３７】
駒部材１１は、積雪の移動にともなって移動した位置になる。この駒部材１１は、消雪後に雨や風などによる外力を受けても磁石部１３の作用により移動しにくいためである。
【００３８】
そして、この駒部材１１の誘導部材１４に対する移動量を測定することで、積雪期間を通した積雪の移動量を求めることができる。
【００３９】
例えば、降雪前に積雪移動量測定装置を山に設置し、積雪に埋もれる冬期間を経過した後の消雪した時点で、積雪移動量測定装置の駒部材を測定することにより、１冬季間の積雪の移動量を測定することができる。
【００４０】
図１に示す積雪移動量測定装置を用いて積雪の移動量を測定した結果を表１に示す。本測定では、山の中腹部に測定装置を設置して、１冬季間の積雪の移動量を測定した。
【００４１】
【表１】
2005315637.tif 000003
【００４２】
表１に示すように、測定１から３は、同じ設置箇所Ｐ１で斜面の方位が異なるものの積雪移動量は３０ｃｍ以下である。斜面では、積雪のクリープや圧密などにより、表面に露出するクラックや積雪層内部の破断を伴わなくても積雪移動が観測されることがある。このため、一般に積雪移動量が３０ｃｍ以下であれば、積雪安定斜面とされる。設置箇所Ｐ１は傾斜が３０度あまりの急傾斜にもかかわらず、どの方位も積雪移動量が安定斜面の範囲内である。これは、林齢２２年生のスギ林が十分に積雪を安定させる効果があることを示している。
【００４３】
また、設置箇所Ｐ２の林齢２５年生スギ林の測定４の結果も、積雪移動量が１５ｃｍであり、設置箇所Ｐ１と同様、安定斜面の範囲内である。
【００４４】
測定１から４に示すように、本積雪移動量測定装置により、適正に積雪の移動量を測定することができる。これらの測定結果から、積雪移動量が林齢や斜面方位によって多少異なるものの、積雪の安定性を検定することができる。
【００４５】
このような本第１の実施の形態によれば、積雪期間の積雪の移動量を、簡単な構成で精度良く測定することができる。また、複雑かつ高価でメンテナンスが必要な電気機器を用いなくとも、精度良く測定することができる。また、降雪前や融雪後など積雪がないときに、駒部材は、磁石の作用によって誘導部材に対して停止するため、雨や風などの外力を受けにくく、より精度良く測定することができる。また、駒部材は誘導部材上を移動するため、地表の形状などの影響を受けにくく、より精度良く測定することができる。
【００４６】
また、電源のない奥山にも装置を設置可能であって、設置のための手間も少なく、設置箇所に装置を運ぶにしても、装置が簡単な構成であるため、装置自体を軽量に仕上げることもできる。また、積雪がないときには、雨風などの影響を受けにくいため、積雪期間の前後に時間の余裕をもって装置を設置可能である。
【００４７】
また、駒部材は誘導部材のレール形状部と係合するため、駒部材が誘導部材から外れる可能性をより低くすることができる。例えば、積雪がないときに石や動物などによって装置が衝撃を受けても、駒部材が誘導部材から外れる可能性が低くなる。
（第２の実施の形態）
以下、本発明に係る第２の実施の形態について図２を参照して説明する。本第２の実施の形態において、上記した実施の形態と同様の構成については説明を省略する。
【００４８】
図２は、本発明に係る積雪移動量測定装置の一形態を示す模式図（ａ）、及びこの積雪移動量測定装置の駒部材の詳細図（ｂ）である。
【００４９】
図２において、積雪移動量測定装置２０は、積雪の移動とともに移動可能である駒部材２１と、この駒部材２１を誘導する誘導部材２４と、この誘導部材２４を基準面としての地面に固定する固定部材としての固定杭２７とを含む。
【００５０】
駒部材２１は、積雪の移動にともなう積雪の圧力を受けるための受圧部２２ａが設けられた本体部２２と、この本体部２２の底面側に取り付けられた磁石部２３とを含む。
【００５１】
本体部２２の受圧部２２ａ側は、積雪が移動するときに受圧部２２ａが積雪の下層に食い込んで積雪の移動とともに駒部全体２１を移動させるように高い形状である。また、本体部２２の受圧部２２ａと対向する面側は、本体部２２全体として軽量化をはかるため、及びバランスを向上させるために低い形状である。
【００５２】
また、誘導部材２４は、前記駒部材２１が受圧部２２ａと直交する方向に移動可能な駒部材２１の本体部２２の底面側と係合する断面コ字形状のレール形状部２５を含む。このレール形状部２５は、前記駒部材２１の底面と略等しい幅の底面部２５ａと、この底面部２５ａの長手方向に沿ってこの底面部２５ａの端面側に設けられ前記駒部材２１の側面をガイドする側面部２５ｂとを含む。そして、この底面部２５ａには少なくともその表面側に上面金属部２６が形成される。なお、レール形状部２５全体、又はレール形状部２５の底面部２５ａ全体を金属製とすることもできる。
【００５３】
なお、上記した誘導部材２４は上記したコ字形状でなくてもよく、例えば駒部材２１と誘導部材２４との係合部分が断面Ｕ字や断面円弧形状となるようにしてもよい。この場合でも、駒部材２１が誘導部材２４に対して浮かないようにする。
【００５４】
積雪の移動量を測定するときには、誘導部材２４の上面金属部２６と駒部材２１の磁石部２３とが対向するように設置させる。
【００５５】
また、固定杭２７は、誘導部材２４の底面部２５ａの四隅において、底面部２５ａから突出して設けられている。そして、誘導部材２４は固定杭２７によって地面に対して固定され、誘導部材２４自体が積雪の移動とともに移動されないようにされる。
【００５６】
このような本第２の実施の形態によれば、消雪時には、駒部材２１は、側面部分をレール形状部２５の側面部２５ａによってガイドされ、また、磁石部２３の作用によって誘導部材２４の上面金属部２６に引きつけられ停止するため、雨や風などの外力の影響を受けても移動されないようになる。また、積雪時には、駒部材２１は、磁石部２３の作用に関わらず、積雪の移動とともに移動することができる。また、積雪時には、駒部材２１はレール形状部２５によって機械的にガイドされているため、誘導部材２４の長手方向とは異なる方向の力を受けても駒部材２１が転倒することを防止することができる。
【００５７】
また、本第２の実施の形態によれば、上記実施の形態と同様の効果とともに、駒部材が誘導部材から外れる可能性をより低くすることができるうえに、簡単な構成のため装置自体が作製しやすくなる。
（第３の実施の形態）
以下、本発明に係る第３の実施の形態について図３を参照して説明する。本第３の実施の形態において、上記した実施の形態と同様の構成については説明を省略する。
【００５８】
図３は、本発明に係る積雪移動量測定装置の一形態を示す模式図（ａ）、及びこの積雪移動量測定装置の駒部材の詳細図（ｂ）である。
【００５９】
図３において、積雪移動量測定装置３０は、積雪の移動とともに移動可能である駒部材３１と、この駒部材３１を誘導する誘導部材３４と、この誘導部材３４の長手方向一方端側に取り付けられこの誘導部材３４を基準面としての地面に固定する固定部材としての固定杭３７とを含む。
【００６０】
駒部材３１は、積雪の移動にともなう積雪の圧力を受けるための受圧部３２ａが設けられた本体部３２と、この本体部３２の底面側に取り付けられた磁石部３３とを含む。
【００６１】
本体部３２の上面が受圧部３２ａ側から受圧部３２ａと対向する面側にかけて、受圧部３２ａ側を高くした傾斜形状とすることで、積雪が移動するときに受圧部３２ａが積雪の下層に食い込んで積雪の移動とともに駒部材３１全体を移動させるようにすることができ、また、駒部材３１全体として軽量化をはかるとともにバランスを向上させることができる。
【００６２】
また、誘導部材３４は、長手方向に対して駒部材３１が揺動可能に設置される樋形状部３５を含む。この樋形状部３５は、細長い板状の補助板部３５ａと、この補助板部３５ａの長手方向にそってこの補助板部３５ａの端面側に設けられた側面部３５ｂとを含む。そして、この補助板部３５ａには少なくともその表面側に上面金属部３６が形成される。この補助板部３５ａは、誘導部材３４が積雪の移動によって転倒やねじれを起こさないように設けられている。なお、樋形状部３５全体、又は樋形状部３５の底面部全体を金属製とすることもできる。この上面金属部３６の幅（すなわち短手方向長さ）は、前記駒部材３１の受圧部３２ａ方向の長さより長い。
【００６３】
積雪の移動量を測定するときには、誘導部材３４の上面金属部３６と駒部材３１の磁石部３３とが対向するように、かつ、駒部材３１の受圧部３２ａを誘導部材３４の長手方向に対して直交させて設置させる。この状態で、駒部材３１の受圧部３２方向の両端側には、誘導部材３５の側面部３５ｂとの間にある程度の距離が生ずる。
【００６４】
また、固定杭３７は誘導部材３４の長手方向一方端側を地面に対し固定するもので、誘導部材３４自体は長手方向一方端側を始点として揺動可能である。例えば、図３に示すように、誘導部材３４の長手方向一方端側に、誘導部材３４の短手方向中央部に対して対象になるような２箇所の穴形状部３８ａを形成し、この穴形状部３８ａに紐状材３８ｂを通し、この紐状部材３８ｂを固定杭３７に係止し、この固定杭３７を地面に対し固定する。そして、誘導部材３４は固定杭３７によって地面に対して固定され、誘導部材３４はこの固定杭３７を始点として揺動可能な状態になり、誘導部材３４自体が積雪の移動とともに移動されないようになる。
【００６５】
図３に示す積雪移動量測定装置を用いて積雪の移動量を測定した結果を表２に示す。本測定では、山の中腹部に測定装置を設置して、１冬季間の積雪の移動量を測定した。
【００６６】
【表２】
2005315637.tif 000004
【００６７】
表２に示すように、傾斜３２度で北向斜面の林齢２０年生スギ林、および傾斜３５度で南向斜面の林齢２２年生スギ林を対象とした測定５、６では、積雪移動量はそれぞれ７ｃｍ、および１５ｃｍであった。測定５、６の結果から、設置箇所Ｐ３、Ｐ４が安定斜面であることが確認でき、本積雪移動量測定装置によって積雪移動量が適正に測定されたことがわかる。
【００６８】
このような本第３の実施の形態によれば、上記実施の形態と同様の効果とともに、誘導部材の幅が駒部材より広いことより、駒部材が誘導部材上を揺動可能に移動し、駒部材と誘導部材の間にごみなどの異物が入ったとしても、駒部材がスムーズに移動することができる。また、積雪の移動方向と装置の設置方向とが一致しない場合など、駒部材が誘導部材に対して斜めに移動したとしても、駒部材の移動量をより正確に測定することができ、積雪の移動量をより精度良く測定することができる。
【００６９】
また、このような固定杭の固定方法によれば、誘導部材の長手方向を地面の傾斜にそってより正確に単純な構成で設置することができる。
（第４の実施の形態）
以下、本発明に係る第４の実施の形態について図４を参照して説明する。
【００７０】
上記した第１の実施の形態は、駒部材の支持部の周囲を誘導部材のレール形状部によって囲むようにして駒部材と誘導部材が係合したものであるのに対し、本第４の実施の形態は、駒部材の支持部によって誘導部材のレール形状部の周囲を囲むようにして駒部材と誘導部材が係合したものである。すなわち、本第４の実施の形態は、駒部材と誘導部材の係合部分が断面Ｉ字形状である点で第１の実施の形態と異なる。
【００７１】
以下の説明においては、本第４の実施の形態の特徴的な構成について説明し、上記した実施の形態と同様の構成については説明を省略する。
【００７２】
図４は、本発明に係る積雪移動量測定装置の一形態を示す模式図（ａ）、及びこの積雪移動量測定装置の駒部材の詳細図（ｂ）である。
【００７３】
図４において、積雪移動量測定装置４０は、積雪の移動とともに移動可能である駒部材４１と、この駒部材４１を誘導する誘導部材４４と、この誘導部材４４を基準面としての地面に固定する固定部材としての固定杭４７とを含む。
【００７４】
駒部材４１の本体部４２は、積雪の移動にともなう積雪の圧力を受けるための受圧部４２ａが設けられた突起形状部４２ｂと、この突起形状部４２ｂを支持し、後述する誘導部材４４のレール形状部４５と係合する係合部４２ｄが設けられた支持部４２ｃとを含む。この係合部４２ｄは、レール形状部４５の帯状の上面部４２ａの周囲を囲むように形成される。駒部材４１の磁石部４３は、係合部４２ｄがレール形状部４５の上面部４５ａと対向する内側面に取り付けられる。
【００７５】
受圧部４２ａは、積雪の下層に食い込んで積雪の移動とともに駒部材４１全体を移動させるようにある程度の高さ及び面積を有する。また、本体部４２全体として軽量化をはかりバランスを向上させるために、支持部４２ｃの形状を低くしている。
【００７６】
誘導部材４４のレール形状部４５は、断面Ｈ字形状であり、駒部材４１の係合部４２ｄの内側の幅と略等しい幅の上板部４５ａと、くびれ形状の首部４５ｂを介して上板部４５ａを支持する下板部４５ｃとを含む。このレール形状部４５に駒部材４１の支持部４２ｃが係合すると、駒部材４１が受圧部４２ａと直交する方向に移動可能になる。
【００７７】
レール形状部４５の上板部４５ａには少なくともその表面側に上面金属部４６が形成される。なお、レール形状部４５全体、又はレール形状部４５の上板部４５ａ全体を金属製とすることもできる。
【００７８】
積雪の移動量を測定するときには、誘導部材４４のレール形状部４５に駒部材４１の支持部４２ｃを係合させることで、誘導部材４４の上面金属部４６と駒部材４１の磁石部４３とが対向するようになる。
【００７９】
また、固定杭４７は、誘導部材４４の長手方向両端部側の２箇所で誘導部材４４の下板部４５ｃを固定する固定台４８を地面に対して杭打ちするものである。そして、誘導部材４４自体は、この固定台４８を介して固定杭４７によって地面に対して固定され、積雪の移動とともに移動されないようになる。
【００８０】
このような本第４の実施の形態によれば、誘導部材が単純な形状であるためより損傷しにくくなる。例えば、積雪移動量を長期間測定する場合、誘導部材が損傷しにくいため、誘導部を設置し直す必要性が低く、駒部材の交換だけでさらに長期の測定が可能となる。
【産業上の利用可能性】
【００８１】
本発明は、雪害やなだれ災害の対策などのために測定される積雪の移動量を、簡単な構成で精度良く測定可能な積雪移動量測定装置及びその方法を提供することができるものである。
【図面の簡単な説明】
【００８２】
【図１】本発明に係る第１の実施の形態における積雪移動量測定装置の模式図（ａ）、及び駒部材の詳細図（ｂ）である。
【図２】本発明に係る第２の実施の形態における積雪移動量測定装置の模式図（ａ）、及び駒部材の詳細図（ｂ）である。
【図３】本発明に係る第３の実施の形態における積雪移動量測定装置の模式図（ａ）、及び駒部材の詳細図（ｂ）である。
【図４】本発明に係る第４の実施の形態における積雪移動量測定装置の模式図（ａ）、及び駒部材の詳細図（ｂ）である。
【図５】本発明に係る第１の実施の形態における積雪移動量測定方法を説明するための模式図であり、積雪前（ａ）、積雪時（ｂ）、消雪後（ｃ）の状態を示す。
【符号の説明】
【００８３】
１０、２０、３０、４０    積雪移動量測定装置
１１、２１、３１、４１    駒部材
１３、２３、３３、４３    磁石部
１４、２４、３４、４４    誘導部材
１６、２６、３６、４６    上面金属部
１７、２７、３７、４７    固定杭
【図１】
2005315637.tif 000005
【図２】
2005315637.tif 000006
【図３】
2005315637.tif 000007
【図４】
2005315637.tif 000008
【図５】
2005315637.tif 000009